(57)【要約】【課題】高精細度信号の伝送、および／または高い忠実度での標準画質信号の送信が可能な、トライアックスケーブルを用いて電気信号を伝送させる装置を提供する。【解決手段】装置は、光ファイバケーブル４とトライアックスケーブル２とを連結可能な第１のインターフェース部３と、光ファイバケーブル４と第２のトライアックスケーブル６とを連結可能な第２のインターフェース部５とを備える。第１のインターフェース部は第１および第４のアダプタを含み、第２のインターフェース部は第２および第３のアダプタを含む。第１、第２、第３または第４のアダプタは、デジタルフィルタ１２，１９を有する。デジタルフィルタ１２，１９は、カメラからＣＣＵにまたは逆方向に送信される信号の周波数範囲に対応する周波数範囲を遮断もしくは減衰し、ＣＣＵからカメラにまたは逆方向に送信される信号の周波数範囲に対応する周波数範囲を通過させる。【選択図】図２
2013537376.tif 000002
【特許請求の範囲】
【請求項１】
カメラコントロールユニット（１）に接続された第１のトライアックスケーブル（２）と、カメラ（７）に接続された第２のトライアックスケーブル（６）との間で、電気信号を伝送させる装置であって、
少なくとも１本の光ファイバを有する光ファイバケーブル（４）と前記第１のトライアックスケーブル（２）とを連結可能な第１のインターフェース部（３）と、前記光ファイバケーブル（４）と前記第２のトライアックスケーブル（６）とを連結可能な第２のインターフェース部（５）と、を備え、
前記第１のインターフェース部は第１のアダプタおよび第４のアダプタを含み、前記第２のインターフェース部は第２のアダプタおよび第３のアダプタを含み、
前記第１のアダプタおよび前記第３のアダプタが、
−方向性結合・分割器（９）と、
−少なくとも１つのローパスアンチエイリアスフィルタ（１０）と、
−前記ローパスアンチエイリアスフィルタ（１０）のうちの１つにそれぞれ接続された、少なくとも１つのＡＤ変換器（１１）と、
−前記ＡＤ変換器（１１）のうちの１つにそれぞれ接続された、少なくとも１つのデジタル符号化回路（１３）と、
−前記デジタル符号化回路（１３）にそれぞれ接続された、少なくとも１つの第１の光変換器（１４）とを有し、
前記第２のアダプタおよび前記第４のアダプタが、
−少なくとも１つの第２の光変換器（２１）と、
−前記第２の光変換器（２１）のうちの１つにそれぞれ接続された、少なくとも１つのデジタル復号化回路（２０）と、
−前記デジタル復号化回路（２０）のうちの１つにそれぞれ接続された、少なくとも１つのＤＡ変換回路（１８）と、
−前記ＤＡ変換回路（１８）のうちの１つにそれぞれ接続された、少なくとも１つのローパスフィルタ（１７）とを有し、
前記第１のアダプタが、前記ＡＤ変換器（１１）のうちの１つと前記デジタル符号化回路（１３）のうちの１つとの間にそれぞれ接続された、少なくとも１つの第１のデジタルフィルタ（１２）を有しており、当該第１のデジタルフィルタ（１２）は、前記カメラから前記カメラコントロールユニットに送信される信号の周波数範囲に対応する周波数範囲を遮断もしくは減衰し、前記カメラコントロールユニットから前記カメラに送信される信号の周波数範囲に対応する周波数範囲を通過させるか、または、
前記第２のアダプタが、前記デジタル復号化回路（２０）のうちの１つと前記ＤＡ変換回路（１８）のうちの１つとの間にそれぞれ接続された、少なくとも１つの第２のデジタルフィルタ（１９）を有しており、当該第２のデジタルフィルタ（１９）は、前記カメラから前記カメラコントロールユニットに送信される信号の周波数範囲に対応する周波数範囲を遮断もしくは減衰し、前記カメラコントロールユニットから前記カメラに送信される信号の周波数範囲に対応する周波数範囲を通過させるか、または、
前記第３のアダプタが、前記ＡＤ変換器（１１）のうちの１つと前記デジタル符号化回路（１３）のうちの１つとの間にそれぞれ接続された、少なくとも１つの第３のデジタルフィルタ（１２）を有しており、当該第３のデジタルフィルタ（１２）は、前記カメラコントロールユニットから前記カメラに送信される信号の周波数範囲に対応する周波数範囲を遮断もしくは減衰し、前記カメラから前記カメラコントロールユニットに送信される信号の周波数範囲に対応する周波数範囲を通過させるか、または、
前記第４のアダプタが、前記デジタル復号化回路（２０）のうちの１つと前記ＤＡ変換回路（１８）のうちの１つとの間にそれぞれ接続された、少なくとも１つの第４のデジタルフィルタ（１９）を有しており、当該第４のデジタルフィルタ（１９）は、前記カメラコントロールユニットから前記カメラに送信される信号の周波数範囲に対応する周波数範囲を遮断もしくは減衰し、前記カメラから前記カメラコントロールユニットに送信される信号の周波数範囲に対応する周波数範囲を通過させる、装置。
【請求項２】
請求項１に記載の装置において、前記第２のアダプタおよび前記第４のアダプタが、前記ローパスフィルタ（１７）に接続された加算回路（１６）を有する、装置。
【請求項３】
請求項１に記載の装置において、前記第１のアダプタおよび前記第３のアダプタが、前記第１の光変換器（１４）から出力された光信号を合成する光結合器（１５）を有する、装置。
【請求項４】
請求項１に記載の装置において、前記第２のアダプタおよび前記第４のアダプタが、光合成信号を複数の互いに独立した光信号に分離することが可能な光分割合波器（１５）を有しており、当該複数の互いに独立した光信号は、前記第２の光変換器（２１）を介して伝送される、装置。
【請求項５】
請求項１に記載の装置において、前記第１のアダプタおよび前記第２のアダプタのそれぞれに、電力ダイプレクサ（８）が設けられている、装置。
【請求項６】
請求項１に記載の装置において、前記第１のアダプタおよび前記第４のアダプタが分割・合波器または方向性結合器を有し、前記第２のアダプタおよび前記第３のアダプタが分割・合波器または方向性結合器を有する、装置。
【請求項７】
請求項１に記載の装置において、前記第１のアダプタと前記第４のアダプタとが２つの互いに異なるハウジングに収容され、前記第２のアダプタと前記第３のアダプタとが２つの互いに異なるハウジングに収容され、これらハウジングには、前記トライアックスケーブルと前記光ファイバケーブルとに連結可能な入力端および出力端が設けられる、装置。
【請求項８】
請求項１に記載の装置において、前記第１、前記第２、前記第３および前記第４のデジタルフィルタ（１２，１９）の特性が、調節可能である、装置。
【発明の詳細な説明】
【技術分野】
【０００１】
本発明は、カメラコントロールユニットに接続された第１のトライアックスケーブル（三軸ケーブル）と、カメラに接続された第２のトライアックスケーブルとの間で、電気信号を伝送させる装置（installation（設備））に関する。本発明にかかる装置は、少なくとも１本の光ファイバを有する光ファイバケーブルと前記第１のトライアックスケーブルとを連結可能な第１のインターフェース部と、前記光ファイバケーブルと前記第２のトライアックスケーブルとを連結可能な第２のインターフェース部とを備え、前記第１のインターフェース部は第１のアダプタおよび第４のアダプタを含み、前記第２のインターフェース部は第２のアダプタおよび第３のアダプタを含む。
【背景技術】
【０００２】
従来、テレビジョンカメラから、またはテレビジョンカメラに向けて、映像データ、音声データおよび制御データを伝送するために、上述の装置が利用される。テレビ撮影時には、カメラコントロールユニットや録画装置から離れた位置にカメラを設ける場合がほとんどである。また、カメラはスタジオフロアに設けて、それとは別の部屋に、コントロールユニットや録画装置またはビジョンミキサ（vision mixing equipment）を設けることもある。中継放送の際には、撮影現場から離れた車両内に、コントロールユニットを設けることがある。スポーツのイベント（例えば、レースのイベントなど）の撮影時には、カメラと放送室または中継車両との距離が必然的に大きくなる。また、映像データ、音声データ、インターカムデータ、制御データ、その他のデータ等は、カメラ側から送信されるだけでなく、カメラ側に向けても送信される。例えば、カメラ側からプログラム映像（番組映像）が送信される一方、カメラ側に向けてビューファインダ映像が送信される。
【発明の概要】
【発明が解決しようとする課題】
【０００３】
製造されるカメラおよびコントロールユニットの多くは、トライアックスケーブルによって互いに連結されるように構成されている。しかし、このケーブルは、ケーブル長が増加するにつれて信号の劣化（減衰）が激しくなる。そのため、一部の製造業者は、より広い距離範囲に対応可能な光ファイバーリンクを採用している。
【０００４】
また、先行技術には、トライアックスケーブルによって伝送された電気信号を、光ファイバケーブルによって送信可能な光信号に変換する装置がある。同様に、光ファイバケーブルによって伝送された光信号を、トライアックスケーブルによって送信可能な電気信号に変換する装置もある。以上のような装置では、各種アナログ信号の復調を変換器で行うことになるが、その場合、変換器の回路の大部分を、カメラコントロールユニットのモデルごとに特別設計する必要がある。また、光信号は、アナログ変調で生成されるので、信号の劣化につながる。さらに、高帯域および低損失を特徴とする光ケーブルであっても、光ファイバ長が増加すれば、信号が劣化する。
【０００５】
トライアックスケーブルを用いて、単線で、カメラ側からの信号とカメラ側に向けての信号との両方を伝送する場合、異なる方向に進行する信号を方向ごとに分離し、エコーの発生を防ぐ必要がある。
【０００６】
さらに、高精細度（ＨＤ）テレビジョン放送用のトライアックスリンク（triaxial link）では、広帯域に分布したＨＤ信号を伝送する必要があり、つまり、高周波数域をトライアックスリンク（triax）で送信しなければならない。
【課題を解決するための手段】
【０００７】
本発明は、高精細度信号（High Definition signal）の伝送を可能にする、従来の装置の改良を提案する。本発明は、さらに、高い忠実度で標準画質信号（Standard Definition signal）を送信することができる、従来の装置の改良を提案する。
【０００８】
本発明にかかる装置の利点は、以下のとおりである：
−高精細度テレビジョン信号などの高周波数域信号を、従来の装置による標準画質信号の性能に匹敵する性能またはそれ以上の性能で伝送することができる。エコー、ゴーストおよびリンギングを、減少または感知不能な程度にまで抑制することができる。
−信号をデジタル変換してから、その信号をアナログに再変換するまでの間、大きな劣化が生じない。光ケーブル長が増加しても、動作範囲の上限を超えない限りは、信号の品質が劣化しない。デジタル信号は、温度ドリフトやデジタル部品のエージングによって劣化しない。
【０００９】
本発明は、フィルタ処理された後の電気信号をデジタル表現化したものに対し、１つ以上のデジタルフィルタを使用することにより、その帯域幅をさらに減少させ、カメラからカメラコントロールユニットに進行する信号に対応する周波数を減衰させる。同様に、デジタルフィルタを使用することにより、カメラコントロールユニットからカメラに進行する信号に対応する周波数を減衰させる。
【００１０】
デジタルフィルタの利点は、当該技術分野においてよく知られている。デジタルフィルタは、同じ性能のアナログフィルタよりも再現性が高くかつ安価である。デジタルフィルタは、位相応答が線形になるように構成することができる。これにより、パルス歪みを極めて小さくすることができる。さらに、デジタルフィルタは、温度ドリフトの問題を生じない。
【００１１】
本発明により、各種電気信号ごとに分離または復調する必要性がなくなるので、使用するカメラコントロールユニットに合わせてカスタマイズしなければならない回路の範囲が減少する。例えば、多くのカメラリンクでは、低周波数域に、極めて狭い帯域幅の信号が多数密集している。これら密集した信号をフィルタで復調または分離するには、各種信号ごとに回路またはフィルタを用意することが求められるが、そのような周波数域は、方向性結合・分割器が良好に動作する周波数域なので、各種信号ごとにデジタルフィルタまたはＡＤＣ／ＤＡＣを設ける必要性がなくなる。
【００１２】
本発明により、また、使用するカメラおよびＣＣＵ（カメラコントロールユニット）に応じてデジタルフィルタを選択（設定）できる。
【００１３】
この選択は電気的な選択であり、すなわち、プログラムにより、基板の交換をせずに済む。
【００１４】
本発明にかかる装置により、電池や他の電源が必須ではなくなるので、装置、特に、カメラ用の装置およびカメラ側のアダプタを、軽量化することができる。
【００１５】
本発明にかかる装置は、カメラコントロールユニットに接続された第１のトライアックスケーブルと、カメラに接続された第２のトライアックスケーブルとの間で、電気信号を伝送させる装置であり、
少なくとも１本の光ファイバを有する光ファイバケーブルと前記第１のトライアックスケーブルとを連結可能な第１のインターフェース部と、前記光ファイバケーブルと前記第２のトライアックスケーブルとを連結可能な第２のインターフェース部とを備え、
前記第１のインターフェース部は第１のアダプタおよび第４のアダプタを含み、前記第２のインターフェース部は第２のアダプタおよび第３のアダプタを含み、
前記第１のアダプタおよび前記第３のアダプタが、
−方向性結合・分割器と、
−少なくとも１つのローパスアンチエイリアスフィルタと、
−前記ローパスアンチエイリアスフィルタのうちの１つにそれぞれ接続された、少なくとも１つのＡＤ変換器と、
−前記ＡＤ変換器のうちの１つにそれぞれ接続された、少なくとも１つのデジタル符号化回路と、
−前記デジタル符号化回路にそれぞれ接続された、少なくとも１つの第１の光変換器とを有し、
前記第２のアダプタおよび前記第４のアダプタが、
−少なくとも１つの第２の光変換器と、
−前記第２の光変換器のうちの１つにそれぞれ接続された、少なくとも１つのデジタル復号化回路と、
−前記デジタル復号化回路のうちの１つにそれぞれ接続された、少なくとも１つのＤＡ変換回路と、
−前記ＤＡ変換回路のうちの１つにそれぞれ接続された、少なくとも１つのローパスフィルタとを有し、
前記第１のアダプタが、前記ＡＤ変換器のうちの１つと前記デジタル符号化回路のうちの１つとの間にそれぞれ接続された、少なくとも１つの第１のデジタルフィルタを有しており、当該第１のデジタルフィルタは、前記カメラから前記カメラコントロールユニットに送信される信号の周波数範囲に対応する周波数範囲を遮断もしくは減衰し、前記カメラコントロールユニットから前記カメラに送信される信号の周波数範囲に対応する周波数範囲を通過させるか、または、
前記第２のアダプタが、前記デジタル復号化回路のうちの１つと前記ＤＡ変換回路のうちの１つとの間にそれぞれ接続された、少なくとも１つの第２のデジタルフィルタを有しており、当該第２のデジタルフィルタは、前記カメラから前記カメラコントロールユニットに送信される信号の周波数範囲に対応する周波数範囲を遮断もしくは減衰し、前記カメラコントロールユニットから前記カメラに送信される信号の周波数範囲に対応する周波数範囲を通過させるか、または、
前記第３のアダプタが、前記ＡＤ変換器のうちの１つと前記デジタル符号化回路のうちの１つとの間にそれぞれ接続された、少なくとも１つの第３のデジタルフィルタを有しており、当該第３のデジタルフィルタは、前記カメラコントロールユニットから前記カメラに送信される信号の周波数範囲に対応する周波数範囲を遮断もしくは減衰し、前記カメラから前記カメラコントロールユニットに送信される信号の周波数範囲に対応する周波数範囲を通過させるか、または、
前記第４のアダプタが、前記デジタル復号化回路のうちの１つと前記ＤＡ変換回路のうちの１つとの間にそれぞれ接続された、少なくとも１つの第４のデジタルフィルタを有しており、当該第４のデジタルフィルタは、前記カメラコントロールユニットから前記カメラに送信される信号の周波数範囲に対応する周波数範囲を遮断もしくは減衰し、前記カメラから前記カメラコントロールユニットに送信される信号の周波数範囲に対応する周波数範囲を通過させる。
【００１６】
本発明において、前記第２のアダプタおよび前記第４のアダプタは、前記ローパスフィルタに接続された加算回路を有してもよい。
【００１７】
本発明において、前記第１のアダプタおよび前記第３のアダプタは、前記第１の光変換器から出力された光信号を合成する光結合器を有してもよい。
【００１８】
本発明において、前記第２のアダプタおよび前記第４のアダプタは、光結合信号を複数の互いに独立した光信号に分離することが可能な波長分割多重器（光分割合波器、光分波・合波器）を有するものであってもよく、当該複数の互いに独立した光信号は、前記第２の光変換器を介して伝送されてもよい。
【００１９】
本発明において、前記第１のアダプタおよび前記第２のアダプタのそれぞれに、電力ダイプレクサ（power diplexer）が設けられていてもよい。
【００２０】
本発明において、前記第１のアダプタおよび前記第４のアダプタが、光分割多重器（光分割合波器、光分波・合波器）即ち方向性結合器を有し、かつ、前記第２のアダプタおよび前記第３のアダプタが、光分割多重器（光分割合波器、光分波・合波器）即ち方向性結合器を有してもよい。
【００２１】
本発明において、前記第１のアダプタと前記第４のアダプタとが２つの互いに異なるハウジングに収容され、前記第２のアダプタと前記第３のアダプタとが２つの互いに異なるハウジングに収容されてもよい。これらハウジングには、前記トライアックスケーブルと前記光ファイバケーブルとに連結可能な入力端および出力端が設けられてもよい。
【００２２】
本発明において、前記第１、前記第２、前記第３および前記第４のデジタルフィルタ（１２，１９）の特性は、調節可能であってもよい。
【００２３】
本発明の他の実施形態において、前記装置は、前記少なくとも１つのＡＤ変換器の振幅を調節することによって前記アンチエイリアスフィルタ、前記ＡＤ変換器、または前記ＡＤ変換器の関連回路（駆動回路、増幅器およびバッファを含む）の、ゲインのばらつき（ゲインインバランス）を補償する、自動校正回路を備えてもよい。これにより、製造時に手動で調節したり、その後の温度やエージングに起因するドリフトを手動で調節したりする必要性が低減される。
【００２４】
本発明のさらなる他の実施形態において、前記光ファイバケーブルは、２本の光ファイバと銅導体とを有する複合型のケーブル（ハイブリッドケーブル）であってもよく、前記第１のアダプタには、前記第１のトライアックスケーブルによって供給されたＤＣ電力またはＡＣ電力を銅導体に流して前記複合型のケーブルの遠位端（第１のトライアックスケーブルからより遠い側の端部）および／または前記第２のトライアックスケーブルの遠位端（第１のトライアックスケーブルからより遠い側の端部）に設けられた電源装置に届ける、電力ダイプレクサが設けられていてもよい。
【００２５】
本発明の前述した特徴、その他の特徴および利点は、添付の図面を参照しながら行う本発明の好ましい実施形態についての以下の説明から明らかになる。
【図面の簡単な説明】
【００２６】
【図１】テレビジョンカメラと共に使用される本発明の好ましい一実施形態を示す概略図である。
【図２】本発明の好ましい一実施形態における第１のインターフェース部および第２のインターフェース部を示す詳細図である。
【図３】カメラとカメラコントロールユニットとの間を結ぶ典型的なトライアックスリンク（triax link）によって伝送される信号のスペクトルを示す図である。
【図４】（ａ）は、カメラからカメラコントロールユニットに向かう経路において使用されるデジタルフィルタの周波数応答を示す図であり、（ｂ）は、カメラコントロールユニットからカメラに向かう経路において使用されるデジタルフィルタの周波数応答を示す図である。
【図５】互いに相補的なフィルタの第２の対の周波数応答を示す図である。
【図６】互いに相補的なデジタルフィルタの出力の合計を示す図である。
【発明を実施するための形態】
【００２７】
概略図である図１において、テレビジョン用のカメラ（テレビジョンカメラ）７は、本発明にかかる装置（設備）により、離れたカメラコントロールユニット（ＣＣＵ）に接続されている。
【００２８】
第１のトライアックスケーブル２が、ＣＣＵ１と第１のインターフェース部３とを接続している。第１のインターフェース部３は第１のアダプタを含んでおり、この第１のアダプタにより、第１のトライアックスケーブル２によって伝送された電気信号が光信号に変換される。第１の光ファイバケーブル４が、前記光信号を第２のインターフェース部５に送信する。第２のインターフェース部５は第２のアダプタを含んでおり、この第２のアダプタにより、前記光信号が電気信号に変換される。第２のトライアックスケーブル６が、前記電気信号をテレビジョン用のカメラ７に送信する。
【００２９】
カメラ７で発生した電気信号は、第２のトライアックスケーブル６により、第２のインターフェース部５に送信される。第２のインターフェース部５は第３のアダプタを含んでおり、この第３のアダプタにより、前記電気信号が光信号に変換される。第３のアダプタは、第１のインターフェース部３に設けられた第１のアダプタと鏡像の関係にある（同一の構成を有する）。第３のアダプタで発生した光信号は、光ファイバケーブル４により、第１のインターフェース部３に送信される。第１のインターフェース部３は第４のアダプタを含んでおり、この第４のアダプタにより、受信した光信号が電気信号に変換される。変換された電気信号は、第１のトライアックスケーブル２により、ＣＣＵ１に伝送される。第４のアダプタは、第２のインターフェース部５に設けられた第２のアダプタと鏡像の関係にある（同一の構成を有する）。ただし、第１のアダプタ、第２のアダプタ、第３のアダプタおよび第４のアダプタは、互いに異なる構成であっても、添付の特許請求の範囲の請求項に記載されたものであればよい。
【００３０】
図２を参照しながら、第１のアダプタおよび第４のアダプタを含む第１のインターフェース部３について説明する。
【００３１】
図２に示す本発明の好ましい一実施形態において、第１のトライアックスケーブル２は、電力ダイプレクサ８に接続される。第１のトライアックスケーブル２によって運ばれた高周波数域の電気信号が方向性結合・分割器９に供給され、電力ダイプレクサ８が複合型の光ファイバケーブル（ハイブリッド光ファイバケーブル）４内の導体にＤＣ電力またはＡＣ電力を追加的に流す。第２のアダプタにも、電力ダイプレクサが設けられてもよい。第１のアダプタの電力ダイプレクサは、第１のトライアックスケーブル２からの電力を、複合型の光ファイバケーブルに導通させる。第２のアダプタの電力ダイプレクサは、複合型の光ファイバケーブル内の銅導体からの電力を、第２のトライアックスケーブル６に導通させる。
【００３２】
図２における第１のインターフェース部３の図中上側部分が第１のアダプタに相当する。この第１のアダプタは、ローパスアンチエイリアスフィルタ１０、ＡＤ変換器１１、デジタルフィルタ１２、デジタル符号化回路１３、および光変換器（ＴＸ）１４を有する。図２における下側部分が第４のアダプタに相当し、この第４のアダプタは、加算回路１６、ローパスフィルタ１７、ＤＡ変換回路（ＤＡＣ）１８、デジタルフィルタ１９、デジタル復号化回路２０、および受信光変換器（ＲＸ）２１を有する。
【００３３】
方向性結合・分割器９は、第１のトライアックスケーブル２からの電気信号をローパスアンチエイリアスフィルタ１０に供給するが、ＤＡ変換回路（ＤＡＣ）１８からの信号がローパスアンチエイリアスフィルタ１０に届かないようにする。ローパスアンチエイリアスフィルタ１０は、ＡＤ変換過程でのエイリアシングの発生を防ぐ。第１のトライアックスケーブル２からの電気信号をデジタル表現化したものが、デジタル処理ブロック１３に供給される。このデジタル処理ブロック１３は、ＡＤ変換回路１１のうちの１つに接続された少なくとも１つのデジタル符号化回路を含む。好ましい一実施形態において、デジタル処理ブロック１３は、プログラマブルロジックデバイスによって実現される。個々のストリームは、多重化され、冗長符号が付加され、その後、シリアルストリームに変換されて光変換器（ＴＸ）１４に供給される。この光変換器１４が、シリアルデジタル信号を光信号に変換する。
【００３４】
別の好ましい他の実施形態では、十分な帯域幅を有する単一個の光変換器が使用されてもよい。図示の好ましい一実施形態では、１つまたは複数の光変換器１４の光出力が、光分波合波装置（光マルチプレクス・デマルチプレクス装置）１５で合成される。この光分波合波装置１５は、互いに異なる波長の光変換器からの光出力を合成する。
【００３５】
光分波合波装置１５は、また、光ファイバケーブル４からの光信号を受信して分離する。光分波合波装置１５の好ましい一実施形態は、方向性結合器および波長弁別器（wavelength discriminator）を有する。
【００３６】
光ファイバケーブル４からの光信号を分波したものが１つまたは複数の光変換器２１に供給され、これら光変換器２１により、シリアルデジタル信号が復元される。好ましい一実施形態では、復元されたシリアルデジタル信号がデジタル処理ブロック２０に供給される。このデジタル処理ブロック２０は少なくとも１つのデジタル復号化回路を含んでおり、この少なくとも１つのデジタル復号化回路は、データをパラレル変換（deserialise）し、復号化し、逆多重化する。好ましい一実施形態では、その逆多重化されたデータがデジタルフィルタ１９に供給される。これらデジタルフィルタ１９により、ＡＤＣ１１およびＤＡＣ１８の動作周波数範囲が規定される。本発明では、方向性結合・分割器が良好に動作する周波数、および第３のアダプタから第４のアダプタに向かって進行する信号に対応する周波数を通過させる周波数応答を有する、少なくとも１つのデジタルフィルタ１９が使用される。
【００３７】
本発明の他の実施形態において、デジタルフィルタ１２は、第１のアダプタと第３のアダプタのいずれかに、または好ましい一実施形態のように第１のアダプタと第３のアダプタの両方に設けられてもよい。同様に、デジタルフィルタ１９は、第２のアダプタと第４のアダプタのいずれかに、または好ましい一実施形態のように第２のアダプタと第４のアダプタの両方に設けられてもよい。
【００３８】
好ましい一実施形態（図１）では、図２（前述の好ましい一実施形態）に示す構成のインターフェース部３が、第１のトライアックスケーブル２により、カメラコントロールユニット１に接続されている。第１のインターフェース部３からは、光ファイバケーブル４が、第１のインターフェース部３に類似した第２のインターフェース部５に送り込まれる。第２のインターフェース部５は、第２のトライアックスケーブル６により、カメラ７に接続されている。好ましい一実施形態では、第１のインターフェース部３と第２のインターフェース部５とが互いに同一の構成とされる。しかしながら、既述したように、第１のインターフェース部３と第２のインターフェース部５とは互いに異なる構成であってもよい。
【００３９】
図３に、カメラとＣＣＵとの間を結ぶトライアックスリンク（triax）によって伝送される信号の典型的なスペクトルを示す。それぞれの方向に送信される信号は、互いに異なる周波数域にインターリーブされている。
【００４０】
図４（ａ）に、カメラからＣＣＵに向かう経路に設けられたデジタルフィルタ１９の一実施形態の周波数応答を示す。デジタルフィルタ１９は、方向性結合・分割器が良好に動作する低周波数域を通過させる。これにより、有利なことに、数多く存在する音声信号、データ信号および制御信号のそれぞれに、１つずつフィルタや復調器を設ける必要がなくなる。デジタルフィルタ１９は、プログラム映像帯域（番組映像帯域）を通過させる。また、デジタルフィルタ１９は、送り返し帯域（return band）およびテレプロンプター帯域（teleprompt band）を除去する。これにより、送り返し映像の画像（return video picture）やテレプロンプターの画面（teleprompt screen）に、微かなエコーやゴーストやリンギングが生じるのを防ぐことができる。換言すると、デジタルフィルタ１９は、カメラコントロールユニットからカメラに送信される信号の周波数範囲に対応する周波数範囲を遮断または減衰し、カメラからカメラコントロールユニットに送信される信号の周波数範囲に対応する周波数範囲を通過させる。
【００４１】
図４（ｂ）に、ＣＣＵからカメラに向かう経路において使用される、上記のものと同じ本発明の実施形態におけるデジタルフィルタ１２の周波数応答を示す。このデジタルフィルタ１２も、方向性結合・分割器が良好に動作する低周波数域を通過させる。デジタルフィルタ１２は、送り返し映像帯域（return video band）およびテレプロンプター帯域を通過させる。また、デジタルフィルタ１２は、プログラム映像帯域を除去する。これにより、プログラム（番組）の画像（program picture）に、微かなエコーやゴーストやリンギングが生じるのを防ぐことができる。換言すると、デジタルフィルタ１２は、カメラからカメラコントロールユニットに送信される信号の周波数範囲に対応する周波数範囲を遮断または減衰し、カメラコントロールユニットからカメラに送信される信号の周波数範囲に対応する周波数範囲を通過させる。
【００４２】
本発明の他の好ましい実施形態は、複数の光変換器１４，２１それぞれに対して、１本の光ファイバを使用する。
【００４３】
本発明の好ましい一実施形態では、ＤＡ変換回路１８のそれぞれが、デジタル変換器（digital converter）および再構成フィルタを有する。
【００４４】
再構成されたアナログ信号は、加算回路１６によって互いに加算され、方向性結合・分割器９に供給される。この方向性結合・分割器９により、加算された電気信号は、第１のトライアックスケーブル２に供給されるがローパスアンチエイリアスフィルタ１０には供給されない。方向性結合・分割器９は、低周波数域では良好に動作するが、高周波数域では動作の良好度が低下する。
【００４５】
カメラコントロールユニット１が給電を行うものである場合、第１のトライアックスケーブル２、第１のインターフェース部３のうちのカメラコントロールユニット１に近い電力ダイプレクサ８、複合型の光ファイバケーブル４内の導体、第２のインターフェース部５のうちのカメラ７に近い電力ダイプレクサ８、および第２のトライアックスケーブル６を介して、電力がカメラ７に供給される。この場合、第２のインターフェース部５およびカメラ７に対する電源が必要にならずに済む。ＣＣＵとカメラとの間の距離によっては、ケーブルの銅抵抗による電力低下を避けるために、一般的な電池パックなどで給電するようにしてもよい。
【００４６】
デジタルフィルタ１２，１９は、異なる周波数の信号を弁別する。当該技術分野の専門家であれば、ある方向の信号に対応する周波数を遮断または減衰することにより、信号の進行方向がカメラ側からであるか、それともカメラ側に向かうものであるかに応じて信号を弁別するように、デジタルフィルタの周波数応答を設定することが可能である。デジタルフィルタは、各方向に進行する信号が少なくとも１つの広幅な周波数帯域内に集まっている場合、フィルタの複雑性が軽減されるので、コスト、サイズ、重量および電力の観点からみて極めて魅力的である。これは、特に、中周波数域および高周波数域の信号について言えることである。低周波数域では、音声信号、制御信号、タイミング信号およびデータ信号を伝送する数多くの狭幅な帯域が、互いに短い間隔で密集していることが多い。各方向の信号が互いにインターリーブされている場合には、デジタルフィルタよりも方向性結合・分割器のほうが、より適切な解決手段となる。
【００４７】
同一方向に進行する信号を複数含んだ周波数範囲を弁別するように構成することにより、フィルタの複雑性、つまり、フィルタのサイズ、重量、電力およびコストを軽減することができる。
【００４８】
また、デジタルフィルタは再現性に優れており、同じ製品であれば、一貫した性能を得ることができる。
【００４９】
さらに、デジタルフィルタは、温度やエージングによるドリフトの影響を受けにくい。
【００５０】
先行技術では、装置のカメラを異なるカメラ（または異なる種類のカメラ）に替える場合、異なる周波数域で信号が伝送されるので、回路基板やモジュールを変更しなければならないことがよくある。デジタルフィルタの周波数応答が、フィルタ係数を再プログラムすることによって変更可能であることは、当該技術分野の専門家によく知られている。本発明の一実施形態では、ユーザが装置をソケットに差し込む。マイクロプロセッサがその装置の回路に通信し、その装置が示すカメラの種類を識別する。その後、マイクロプロセッサが内部回路を制御し、その内部回路が適切な係数をデジタルフィルタにロードする。
【００５１】
ＡＤＣおよびＤＡＣの性能が限られている場合、高帯域（高周波数域）に複数のチャネルを使用しなければならないことがある。複数のチャネルの間で周波数スペクトルを分け合う構成では、そのように被送信信号が部分的に各チャネルに存在している場合、周波数リプルが発生しかねない。これは、隣合うチャネルに対して相補的なフィルタを使用することによって軽減することができる。相補的なフィルタの対とは、それらの応答の合計が、それらの応答の重複領域にわたって一定である場合のフィルタの対を指す。図５に、互いに相補的なデジタルフィルタの応答を示す。デジタルフィルタの出力が加算回路１６で互いに加算されることにより、被送信信号は、周波数リプルを生じることなく忠実に再構成される。デジタルフィルタは、少なくとも１つの周波数範囲内では互いに相補的である一方で、別の周波数範囲を遮断または除去してエコーを軽減または解消するように構成されてもよい。
【図１】
2013537376.tif 000003
【図２】
2013537376.tif 000004
【図３】
2013537376.tif 000005
【図４】
2013537376.tif 000006
【図５】
2013537376.tif 000007
【図６】
2013537376.tif 000008
【国際調査報告】
2013537376.tif 000009
2013537376.tif 000010